(57)【要約】【課題】  筒状部材であるフィルターを空調装置の吹出し口に装着しやすい技術を提供する。【解決手段】  側端部に孔を設け、この孔に、前記フィルターの開口周囲よりも短い長さの伸縮性を有する紐をループ状に設けたことを特徴とする空調装置の吹出し口に装着した円筒フィルターである。円筒フィルターは、不織布を二つ折りにして、合わせ面の端面よりも内側に直線縫いを施し、この直線縫いの外側に孔を設ける。孔には、鳩目を設けることがある。紐は、刃物で切断可能な素材である。【選択図】図３
2011185539.tif 000002
【特許請求の範囲】
【請求項１】
通気性がある不織布からなる円筒状かつ有底のフィルターの開口部の一方側端部に孔を設け、この孔に、前記フィルターの開口周囲よりも短い長さの伸縮性を有する紐をループ状に設けたことを特徴とする空調装置の吹出し口に装着する円筒フィルター。
【請求項２】
円筒フィルターは、不織布を二つ折りにして、合わせ面の端面よりも内側に直線縫いを施し、当該直線縫いの外側に孔を設けた請求項１記載の空調装置の吹出し口に装着する円筒フィルター。
【請求項３】
孔には、鳩目を設けた請求項１又は２記載の空調装置の吹出し口に装着する円筒フィルター。
【請求項４】
紐は、刃物で切断可能な素材である請求項１〜３のいずれか記載の空調装置の吹出し口に装着する円筒フィルター。
【発明の詳細な説明】
【技術分野】
【０００１】
本発明は、食品加工工場等、大気中に浮遊する塵を嫌う環境に適応する空調装置として、部屋の天井付近に設置される不織布からなる送風筒を送風の吹出しチャンバーに取付ける際に、確実に取付けることができる装置の改良に関するものである。
【背景技術】
【０００２】
従来、食品加工工場等の低温作業設備において、食品の鮮度や品質を管理するため低温環境を維持すると共に、作業者の体感温度が下がらないようにするため、及び、粉塵等を舞い上がらせないようにするため、天井付近に、一端を空調機器の吹出口に接続し他端は閉塞した布製の筒状部材を複数列設し、該筒状部材から冷気が吹き出されるようにした空調装置が知られている（特許文献１）。これらの空調装置は、上記布製の筒状部材を防塵フィルターとしても機能させて、精密機器の製造ラインにおけるクリーンルーム等で空気清浄を行うようにすることもある。
【０００３】
しかしながら、特許文献１の技術だけではなく、チャンバーから吹出す空気流は常に一定ではなく、脈流や乱流が生じている。このため、天井から吊下支承しているだけの筒状部材は、その空気流によって不規則に揺動することがある。この不規則揺動によって、捕集した粉塵を再度放出したり、ばたばたと異音を発するなど、部屋の作業環境に悪影響を及ぼすおそれがあった。また、継続的な揺動によって吊下部分が外れたり、損傷したりするという不都合も考えられる。そこで、特許文献２はこのような問題を解消しようとしている。
【先行技術文献】
【特許文献】
【０００４】
【特許文献１】特開平３−１１０３４３号公報
【特許文献２】特開２００９−１８０４５７号公報
【発明の概要】
【発明が解決しようとする課題】
【０００５】
ところで、これら従来の技術において利用する筒状部材は、吹出しチャンバーから円筒状に突出した吹出し口の外周全周を覆うように被せ、その外周をスチール製の締め付けバンドで緊締するが、工場の空調装置における吹出し口は直径が３０〜５０ｃｍ程度であり、外周長さは９５〜１６０ｃｍ程度になる。そうすると、筒状部材を二つ折りの状態から端面を開いて吹出し口に装着するが、二つ折りのサイズでも４７〜８０ｃｍ程度の幅になり、一人の作業者が取り扱うには大きすぎるとうい問題がある。さらに、筒状部材は吹出し口に密に取付ける必要があるため、吹出し口の外周よりもせいぜい１．０〜１．５ｃｍ程度の余裕しか与えられておらず、作業性の改善が要求されている。
【０００６】
本発明は、このような従来の課題を解決するもので、簡単な構成を採用することによって、筒状部材を吹出し口に装着しやすい技術を提供することを目的とする。
【課題を解決するための手段】
【０００７】
本発明では、上記目的を達成するために、通気性がある不織布からなる円筒状かつ有底のフィルターの開口部の一方側端部に孔を設けた。そして、この孔に前記フィルターの開口周囲よりも短い長さの伸縮性を有する紐をループ状に設けるという手段によって、空調装置の吹出し口に装着する円筒フィルターを構成した。円筒フィルターは、空調装置から吹出す空気に含まれるチリやホコリを捕捉して、室内に吹出さないようにするためのものであるが、その開口を吹出し口に装着する際に、伸縮性の紐で円筒フィルターの開口を絞り込むようにして仮装着する。
【０００８】
又、円筒フィルターのより具体的手段としては、不織布を二つ折りにして、合わせ面の端面よりも内側に直線縫いを施し、当該直線縫いの外側に孔を設けた。この手段によれば、直線縫いによって円筒フィルターの開口の効き代が決定されるが、その外側に孔が設けられるので、孔に紐が通されていても効き代の長さを阻害しない。さらに、孔に鳩目を設ける手段では、孔を十分に補強するので、作業中に孔が裂ける事故はない。さらに又、紐を切断可能な素材とする手段では、円筒フィルターの装着完了後には、機能として不要になる紐を容易に除去することができる。
【発明の効果】
【０００９】
本発明では、上述した手段を採用したので、円筒フィルターを吹出し口に装着する作業を確実にすることができ、過誤による作業中の円筒フィルターの脱落を防止することができるので、作業者の困難性を軽減できる。又、孔が設けられる位置は、開口周囲の効き代に影響を与えない場所なので、円筒フィルターの効き代の設定を正確にすることが可能となる。さらに、孔に鳩目を設けることによって、作業中に孔が裂けることを回避することができる。
【図面の簡単な説明】
【００１０】
【図１】本発明に係る清浄空調装置の一例を示す概略説明図
【図２】従来の円筒フィルターの要部を示す斜視図
【図３】本発明の円筒フィルターの要部を示す斜視図
【図４】別実施形態を示す平面図
【発明を実施するための形態】
【００１１】
以下、本発明の好ましい実施の形態を添付した図面に従って説明する。図１は、本発明が適用される空調装置の一部を一例として示した概略説明図であり、１は吹出チャンバーで、図示しない空調機器の室外ユニット及び室内ユニットと接続され、一定温度の空気を吹出し口２から送出するものである。なお、図では吹出し口２は一ヶ所しか例示していないが、本装置を適用する部屋の大きさに応じて複数の吹出口を設けることもある。
【００１２】
３は、終端を有底とした不織布製の通気性がある円筒フィルター（筒状部材）で、その開口端を開き、スチール製の締め付けバンド４により、吹出し口２の周囲から被せるように取り付ける。そして、吹出し口２から空気を送出すると、風量に応じて図のとおりに軸方向に膨張し、円筒フィルターの表面から低速の空調空気を均一に排出すると同時に、周面で高度な集塵作用を行うものである。この円筒フィルター３は、その上方に設けるガイドレール５を自由に滑動する複数のランナー６、６・・を介して伸縮自在に吊下している。これらの構成は、基本的には上述した従来の空調装置とほぼ同等の構成である。なお、小規模な空調装置の場合には、ガイドレールとランナーによる吊下を省略することもある。
【００１３】（公序良俗違反につき、不掲載）これは強力な電石効果を持つ超極細繊維の電石不織布からなるものであって、目に見えないチリやホコリからミクロ単位の微粒子までを確実に捕集する。その結果、排出される空気はチリやホコリが除去された清浄なものとなる。このため室内環境を極めて清浄に維持することが可能となるものである。
【００１４】
要するに、本発明では、空調された空気を円筒フィルター３に供給し、円筒フィルター３においてチリやホコリを除去した状態の空調を行うことができる。
【００１５】
ところで、従来の円筒フィルター３の構造は、図２に示したように不織布１１を二つ折りにして、合わせ面１２の長手面１３を溶着や直線縫いしたものであり、開口端部１４はいわゆる切りっぱなしである。又は、開口端部は内側に折り返して二重面を構成したものである。そうすると、課題で示したように、作業者は開口部を円形に維持した状態で空調装置の吹出し口２に徐々に挿通するが、吹出し口２の円周と開口端部１４の円周差はわずかであるから、作業性が悪いうえ、いったん取付けても締め付けバンド４の締め付け作業のために手を離せば円筒フィルター３が吹出し口２から外れてしまうことが多く、再度作業を行わなければならなかった。そこで、円筒フィルター３の構成として、図３に示すものを適用する。図において、１５は直線縫い目であって、本体の円筒長手方向に沿って縫合する。その結果、円筒フィルター３の効き代は、開口部のＡに相当する円周になり、Ｂに相当する部分は縫い代となる。１６は縫い代Ｂに設けられた鳩目であり、開口端部１４を開口した場合でも円周長に影響を与えないようになっている。１７はゴム紐のような伸縮性の高い紐であり、鳩目１６に通して端部を結合してループ状に構成する。１８は、ロックミシンなどで直線縫い目１５と平行に縫合された端部処理のための縫合線である。なお、図３の直線縫い目１５は、図３のように円筒の長手方向全域に施されるが、図４に示すように開口端部近傍だけに設けられることもある。この場合には、円筒フィルター３の効き代は、開口端部１４では絞られるが、直線縫い目１５がなくなった部分からは、Ａ＋Ｂの幅となる。
【００１６】
このような構成を利用して円筒フィルター３を吹出し口２に装着するには、先ず図３の構成、及び図４の構成ともに、開口端部１４を開いて空調装置の吹出し口２に円筒フィルター３を装着することは、従来と同様である。ただし、円筒フィルター３の装着を開始するに先立って、紐１７を伸ばして円筒フィルター３の周囲に仮装着しておく。又は、両腕で広げながら円筒フィルター３を吹出し口２に装着する。そして、円筒フィルター３をある程度まで装着すれば、紐１７を円筒フィルター３の外周に装着する。このようにすれば、円筒フィルター３は常時紐１７で締め付けられるので、従来のように過誤によって円筒フィルター３が外れることを防止することができる。続いて、円筒フィルター３の装着が完了すれば、従来と同様にその周囲を締め付けバンド４で緊締して、一連の作業が終了する。
【００１７】
なお、紐１７は残留させたままで締め付けバンド４を緊締することもあるが、紐が経時劣化によって円筒フィルター３に悪影響を及ぼすことを回避するために、円筒フィルター３の装着が完了し、締め付けバンド４を緊締する間に、刃物で切断して除去することもある。この意味において、紐１７は切断が容易な素材を選択することが好ましい。さらに、本実施形態では、鳩目１６を採用したが、鳩目を省略して単に不織布に孔を設けるだけの構成とすることもある。
【産業上の利用可能性】
【００１８】
本発明の構成は、作業性が困難な円筒フィルターの装着において、簡単な構成を付加することによって作業性を向上することができるので、極めて有効に利用可能である。
【符号の説明】
【００１９】
１  吹出チャンバー
２  吹出口
３  円筒フィルター（筒状部材）
４  締め付けバンド
５  ガイドレール
６  ランナー
１５  直線縫い目
１６  鳩目
１７  紐
【図１】
2011185539.tif 000003
【図２】
2011185539.tif 000004
【図３】
2011185539.tif 000005
【図４】
2011185539.tif 000006